(57)【要約】【課題】２００℃以上の高温域での長期使用が可能で、しかも従来から用いられているＰＡＩ樹脂等の高温対応の樹脂に比して生産性に優れ、かつ、低コストの転がり軸受用樹脂性保持器を提供する。【解決手段】樹脂成分として、ＰＡＩ樹脂とＰＰＳ樹脂とのポリマーアロイを採用することにより、射出成形が可能で、ポケットを球面としてアンダーカット部を有する形状としても離型時に損傷しない靱性を有し、また、スナップフィットにより転動体をポケット内に組み込んでも損傷しない柔軟性を備えた樹脂性保持器が得られ、材料費をＰＥＥＫ樹脂に比して約１／５とすることを可能とする。【選択図】図１
2006234175.tif 000002
【特許請求の範囲】
【請求項１】
樹脂成分が、ポリアミドイミド樹脂とポリフェニレンサルファイド樹脂とのポリマーアロイであることを特徴とする転がり軸受用樹脂製保持器。
【請求項２】
当該転がり軸受用樹脂製保持器が、冠型保持器であることを特徴とする請求項１に記載の転がり軸受用樹脂製保持器。
【発明の詳細な説明】
【技術分野】
【０００１】
本発明は転がり軸受用の樹脂製保持器に関し、特に、長期耐熱性を有し、かつ、生産性に優れた転がり軸受用樹脂製保持器に関する。
【背景技術】
【０００２】
転がり軸受用の樹脂製の保持器のうち、１５０℃程度以上の長期耐熱性を要求されるものについては、その材質として一般にポリフェニレンサルファイド樹脂（以下、ＰＰＳ樹脂と称する）やポリアミド４６（ＰＡ４６）が用いられる。また、例えば自動車のオルタネータ用の軸受等、それ以上の温度域、２００℃程度以上の長期耐熱性が要求されるものについては、ポリイミド樹脂（以下、ＰＩ樹脂と称する）、ポリアミドイミド樹脂（以下、ＰＡＩ樹脂と称する）、あるいはポリエーテルエーテルケトン樹脂（以下、ＰＥＥＫ樹脂と称する）等の高価な材料が用いられている。
【発明の開示】
【発明が解決しようとする課題】
【０００３】
ところで、２００℃以上の長期耐熱性を要求される樹脂製保持器に用いられている従来の樹脂材料は、価格面のみならず、以下に示すような問題点がある。すなわち、ＰＩ樹脂については、熱硬化性樹脂であるために、生産性に劣るという問題がある。また、ＰＡＩ樹脂は、射出成形ができないために成形に特殊設備が必要であり、しかも、成形工程の後に１週間程度のアニーリング等の後工程が必要であり、これも生産性に劣るという問題がある。
【０００４】
本発明の課題は、２００℃以上の高温域での長期使用が可能で、しかも従来から用いられている高温対応の樹脂に比して生産性に優れ、かつ、低コストの転がり軸受用樹脂製保持器を提供することにある。
【課題を解決するための手段】
【０００５】
上記の課題を解決するため、本発明の転がり軸受用樹脂製保持器は、樹脂成分が、ポリアミドイミド樹脂とポリフェニレンサルファイド樹脂とのポリマーアロイであることによって特徴づけられる（請求項１）。
【０００６】
ここで、本発明は、特に形成工程における離型時において損傷が生じたり、転動体としてのボールのスナップフィットを利用した組み込み時において損傷が生じやすい冠型保持器に適用すること（請求項２）が、その効果を特に大きく発揮することができて好ましい。
【０００７】
本発明の転がり軸受用樹脂製保持器においては、保持器としての各種性能を維持または向上させ、あるいは成形工程における成形性を損なわない範囲内で、ＰＡＩ樹脂とＰＰＳ樹脂とのポリマーアロイに、ガラス繊維をはじめとする各種強化繊維や各種充填材等を含有させることができる。
【０００８】
本発明は、各種樹脂材料について鋭意研究を重ねた結果としてなされたものであり、２００℃以上の高温域で連続使用が可能で、かつ、通常の射出成形により成形可能で、しかも冠型保持器のようにアンダーカット部を有する構造であっても離型に際して損傷しない柔軟性並びに靱性を備えた樹脂材料として、ＰＡＩ樹脂とＰＰＳ樹脂とのポリマーアロイが適していることが見いだされた。
【０００９】
すなわち、ＰＡＩ樹脂とＰＰＳ樹脂とを主成分とするポリマーアロイは、２００℃以上の高温下での長期使用に耐え、しかも射出成形が可能であり、所要の柔軟性と靱性を有し、冠型保持器のようにアンダーカット部を有していても離型時や転動体のスナップフィットによる組み込み時に損傷しないことが判明した。                                    
【００１０】
本発明の転がり軸受用樹脂製保持器に用いられるポリマーアロイは、ＰＡＩ樹脂と熱可ＰＰＳ樹脂との組成比については、特に限定されるものではないが、一例として、ＰＡＩ樹脂とＰＰＳ樹脂を略１：１の割合で含有するポリマーアロイを、要求される耐熱性と成形性並びに柔軟性を兼ね備えた好適な材料として挙げることができる。                  
【００１１】
上記のＰＡＩ樹脂とＰＰＳ樹脂を略１：１の割合で含有するポリマーアロイは、２００℃以上の長期耐熱性を有し、射出成形が可能であり、しかも冠型保持器等に適用してアンダーカット部を備えた構造としても、離型時における損傷がなく、また、スナップフィットによるポールの組み込みに際しても損傷しない、靱性と柔軟性を備えているとともに、材料費はＰＥＥＫ樹脂に比して約１／５となる。
【発明の効果】
【００１２】
本発明によれば、長期耐熱性をはじめとして、ＰＥＥＫ樹脂を用いる場合と同等の性能を有し、しかもその材料費が約１／５程度の転がり軸受軸受用樹脂性保持器が得られる。また、射出成形が可能であり、ＰＡＩ樹脂を用いる場合のように特殊整備が不要で、長期の後工程も不要である。しかも、ポケット部を球面としてアンダーカット部を設けても離型時に損傷することがなく、また、スナップフィットによるボールの組み込み時等においても損傷することがない。
【発明を実施するための最良の形態】
【００１３】
実施例として、主成分としてＰＡＩ樹脂とＰＰＳ樹脂を１：１の割合で含有するポリマーアロイに、強化ガラス繊維を４０重量％で含有させた材料（三菱ガス化学株式会社製ＭＳ−３，ＭＧＣ法に基づく長期耐熱性（２０，０００時間）２７０℃、ＡＳＴＭＤ６３８に基づく引張強度１５９ＭＰａ、同Ｄ７９０に基づく曲げ強度および曲げ弾性率が、それぞれ、２３℃で２４０ＭＰａおよび１４ＧＰａ，１８０℃で１５０ＭＰａおよび８ＧＰａ，２５０℃で７０ＭＰａおよび３ＧＰａ）を用いて、図１に外観斜視図を、図２（Ａ）にはその要部正面図、同図（Ｂ）にはそのポケット１１の中心を通る図２（Ａ）の縦断面図を示す冠型保持器を成形した。この冠型保持器は、ポケット１１内にボールを片持ち状に保持すべく、基底部１０から互いに対向する２本の爪部１２ａ，１２ｂを突出させてポケット壁体を構成した構造を持ち、ポケット１１の内面は球面とし、そのポケット１１の開放端であるポケット入口部の開口寸法（対向する各爪部１２ａ，１２ｂの先端部間の距離）Ａが、ポケット最大径（ポケット１１内面の球面の直径）Ｂよりも１０％程度小さいアンダーカット状となっている。また、この実施例では、ポケット入口部の開口寸法Ａを８．８１ｍｍ、ポケット最大径Ｂを９．７２ｍｍとし、そのポケット１１に対して直径３／８インチ（約９．５２５ｍｍ）のボールを組み込むものとした。
【００１４】
上記した組成からなるポリマーアロイは、通常の射出成形機によって充分に形成可能であった。また、成形後の離型に際して、アンダーカット部の存在にも係わらず爪部１２ａ，１２ｂをはじめとする各部位が破損することはなかった。更に、スナップフィットを利用してポケット１１内にボールを組み込んだ際にも、爪部１２ａ，１２ｂをはじめとする各部位の破損は生じなかった。
【００１５】
一方、比較例として、樹脂成分としてＰＥＥＫ樹脂を単体で用いたほかは実施例と全く同じとした。実施例と同等の結果が得られたが、材料費が実施例の約５倍であった。
【図面の簡単な説明】
【００１６】
【図１】本発明の実施例で成形した冠型保持器の構成を示す外観斜視図である。
【図２】図２（Ａ）は図１の冠型保持器の要部正面図で、図２（Ｂ）はそのポケット１１の中心を通る縦断面図である。
【符号の説明】
【００１７】
１０基底部
１１ポケット
１２ａ，１２ｂ爪部
【図１】
2006234175.tif 000003
【図２】
2006234175.tif 000004